(57)【要約】【課題】洗浄水がリム部の内側先端面に残留し難く、水滴となって垂れ落ちることが防止され、便器本体の内面が汚れ難く、清掃もし易くて衛生的な水洗便器を提供する。【解決手段】上方に開口したボウル状の便器本体１の上端開口縁に内側へ折曲板片状に突出したリム部２を一体に形成し、リム部２の下側で開口周方向に沿って洗浄水が流れる旋回路部３を設け、便器本体１の後部から前方に向け吐出される洗浄水が旋回路部３を流れる勢いで便器本体１の内面を伝って汚物を洗い流す水洗便器において、リム部２の内側先端面２１を下方内側へと向かう傾斜面として形成した。【選択図】図２
2007308913.tif 000002
【特許請求の範囲】
【請求項１】
上方に開口したボウル状の便器本体の上端開口縁に内側へ折曲板片状に突出したリム部を一体に形成し、リム部の下側で開口周方向に沿って洗浄水が流れる旋回路部を設け、洗浄水が旋回路部を流れる勢いで便器本体の内面を伝い流下して汚物を洗い流す水洗便器であり、リム部の内側先端面を下方内側へと向かう傾斜面として形成した水洗便器。
【請求項２】
リム部とその下方で対向する棚状部を便器本体の内面に突設し、リム部と棚状部との間を内方へ開放された溝状の旋回路部となしたことを特徴とする請求項１記載の水洗便器。
【請求項３】
棚状部の上面を内側下方へと傾斜させたことを特徴とする請求項２記載の水洗便器。
【発明の詳細な説明】
【技術分野】
【０００１】
本願発明は、上方に開口したボウル状の便器本体の上端開口縁に内側へ突出したリム部を一体に形成し、リム部の下側で開口周方向に沿って流れる洗浄水がその勢いで便器本体の内面を伝って汚物を洗い流す水洗便器に関するものである。
【背景技術】
【０００２】
従来から、図４に示すように、上方に開口したボウル状の便器本体１の上端開口縁に内側へ折曲板片状に突出したリム部２を一体に形成し、リム部２の下側で開口周方向に沿って洗浄水が流れる旋回路部３を設け、便器本体１の後部に設けられる吐出口９から前方に向けて吐出される洗浄水が、旋回路部３を流れる勢いで便器本体１の内面を伝って汚物を洗い流す水洗便器は知られている（特許文献１：特開２００４−１１４１３号公報）。ここでは、リム部２とその下方で対向する棚状部４が便器本体１の内面に突設されており、リム部２と棚状部４との間が内方へ開放された溝状の旋回路部３となっている。
【０００３】
したがって、この水洗便器においては、吐出口９から前方に向けて吐出される洗浄水が旋回路部３に沿って勢い良く流れ、その際、リム部２によって洗浄水の上方への飛散や溢水が防止されて、洗浄水は便器本体１の内面を勢い良く旋回しながら伝い流下して汚物を洗い流し、便器本体１の底部に設けられる排出口（図示せず）から除去される。また、この場合、旋回路部３は内方へ開放された溝状となっているので、その内部を汚れた際に清掃することができるものである。
【特許文献１】特開２００４−１１４１３号公報
【発明の開示】
【発明が解決しようとする課題】
【０００４】
しかしながら、上記従来例である水洗便器にあっては、リム部２の内側先端面２１が垂直面となっており、リム部２の下面２２と同内側先端面２１とのなす角部から、旋回路部３内を流れる洗浄水が洗浄後に残留し水滴となって垂れ落ち易く、水滴が垂れ落ちる棚状部４の上面や便器本体１の内面は汚れ易いものであった。また、棚状部４の上面や便器本体１の内面の水滴が垂れ落ちた部位には、雑菌やカビ等が繁殖し易く、水道水に含まれるカルシウム等が固着してしまう可能性もあって、清掃し難しく衛生面でも問題となるものであった。
【０００５】
本願発明は、上記背景技術に鑑みてなされたものであり、その課題は、洗浄後に洗浄水がリム部の内側先端面に残留し難く、水滴となって垂れ落ちることが防止され、便器本体の内面が汚れ難く、清掃もし易くて衛生的な水洗便器を提供することである。
【課題を解決するための手段】
【０００６】
上記課題を解決するために、本願請求項１記載の発明は、上方に開口したボウル状の便器本体の上端開口縁に内側へ折曲板片状に突出したリム部を一体に形成し、リム部の下側で開口周方向に沿って洗浄水が流れる旋回路部を設け、洗浄水が旋回路部を流れる勢いで便器本体の内面を伝い流下して汚物を洗い流す水洗便器であり、リム部の内側先端面を下方内側へと向かう傾斜面として形成したものである。
【０００７】
また、本願請求項２記載の発明は、前記水洗便器において、リム部とその下方で対向する棚状部を便器本体の内面に突設し、リム部と棚状部との間を内方へ開放された溝状の旋回路部となしたことを特徴としている。
【０００８】
また、本願請求項３記載の発明は、前記水洗便器において、棚状部の上面を内側下方へと傾斜させたことを特徴としている。
【発明の効果】
【０００９】
本願請求項１記載の発明である水洗便器においては、前方に向けて吐出される洗浄水が旋回路部に沿って勢い良く流れ、その際、リム部によって洗浄水の上方への飛散や溢水が防止されて、洗浄水は便器本体の内面を勢い良く旋回しながら伝い流下して汚物を洗い流すものである。また、リム部は折曲板片状に突出されており、材料が削減されてコストダウンにも繋がるものである。
【００１０】
しかも、折曲板片状に突出されるリム部の内側先端面が下方内側へと向かう傾斜面として形成されているので、旋回路部内を流れた洗浄後の洗浄水は、同内側先端面に残留することなくリム部の下面へと伝わって下方の便器本体の内面へとスムーズに流下され、水滴となって垂れ落ちることが防止される。そのため、便器本体の内面が汚れ難く、清掃もし易くて衛生的なものとなる。
【００１１】
また、本願請求項２記載の発明である水洗便器においては、特に、リム部とその下方で突設される棚状部との間が内方へ開放された溝状の旋回路部となるので、この旋回路部には洗浄水が規制されて沿い易くなり、洗浄水はスピードアップされて旋回の勢いが強化され、また、旋回路部の内部を清掃し易いものでもある。
【００１２】
また、本願請求項３記載の発明である水洗便器においては、特に、棚状部の上面が内側下方へと傾斜されているので、洗浄後の洗浄水は同棚状部の傾斜した上面に溜まることなく下方の便器本体の内面へとスムーズに流下されて、便器本体の内面の汚れが確実に防止されるものである。
【発明を実施するための最良の形態】
【００１３】
図１、２は、本願の請求項１〜３全てに対応した一実施形態を示している。この実施形態の水洗便器は、上方に開口したボウル状の便器本体１の上端開口縁に内側へ折曲板片状に突出したリム部２を一体に形成し、リム部２の下側で開口周方向に沿って洗浄水が流れる旋回路部３を設け、洗浄水が旋回路部３を流れる勢いで便器本体１の内面を伝い流下して汚物を洗い流すものである。そして、この水洗便器において、図２に示すように、リム部２の内側先端面２１を下方内側へと向かう傾斜面として形成したものである。
【００１４】
また、この実施形態の水洗便器では、リム部２とその下方で対向する棚状部４を便器本体１の内面に突設し、リム部２と棚状部４との間を内方へ開放された溝状の旋回路部３となしており、この場合、棚状部４の上面４１を内側下方へと傾斜させてもいる。
【００１５】
以下、この実施形態の水洗便器をより具体的詳細に説明する。この実施形態の水洗便器は、図１に示すように、着座して使用することができる洋式便器である。便器本体１は上方に開口したボウル状であり、陶器或いはアクリル樹脂等の合成樹脂にて形成され、トイレルームの床面に設置固定されるものである。便器本体１の後端部上には局部洗浄装置５が設置され、この局部洗浄装置５には暖房式の便座６及び便蓋７が回動自在に支持されており、便座６及び便蓋７は必要に応じて便器本体１の上端開口上に載置される。
【００１６】
便座６の裏面にはその前端及び後端付近の左右両側にゴム等でなる緩衝脚８が配設されており、便座６は同緩衝脚８を介して便器本体１の上端開口上に載置される。その際、緩衝脚８は、便器本体１の上端開口縁から比較的大きく突出されたリム部２上に当接支持される。また、便器本体１のボウル内にはその後部から、前記局部洗浄装置５のノズル（図示せず）が進退自在に突設されており、このノズルから噴出される温水によって、便座本体１上に載置される便座６に着座した人体の局部を洗浄することができる。
【００１７】
便器本体１のボウル内の後部片側には吐出口９が設けられており、洗浄水はこの吐出口９から前方に向けて吐出（Ａ）され、旋回路部３に沿い旋回して流された後、その勢いを維持し渦巻き流（Ｂ）となって便器本体１の内面を伝い流下して汚物を洗い流し、便器本体１の底部に設けられる排出口（図示せず）から汚物と共に除去される。なお、便器本体１のボウル内を洗浄する洗浄水は、水道水がその圧力で吐出されてもよく、別途タンクに溜められた水がポンプ圧によって吐出されてもよい。
【００１８】
便器本体１の上端開口縁には、その全周にわたって内側へ折曲板片状に突出したリム部２が一体に形成されている。そして、図２に示すように、リム部２は便器本体１の周壁と略同厚で、その先端部分だけが傾斜した内側先端面２１の存在により先端側程に薄く形成されている。すなわち、リム部２の内側先端面２１が下方内側へと向かう傾斜面として形成されていて、リム部２の下面２２は略水平であるが、同リム部２の先端部分は先細りのテーパー状となっている。
【００１９】
また、リム部２の下方にはこのリム部２に対向する棚状部４が便器本体１の内面に突設されており、同リム部２と棚状部４との間が内方へ開放された溝状の旋回路部３となっている。この場合、棚状部４の上面４１は内側下方へと傾斜されており、棚状部４の内側端付近がＲ形状に形成されている。そのため、洗浄水は棚状部４に溜まって残留することなく、便器本体１の内面下方へとスムーズに流下されるものである。なお、便器本体１の棚状部４の下側で厚肉となる部位は中空状に形成されており、材料削減によるコストダウンや軽量化が図られている。
【００２０】
したがって、この実施形態の水洗便器においては、吐出口９から前方に向けて吐出される洗浄水が旋回路部３に沿って勢い良く流れ、その際、リム部２によって洗浄水の上方への飛散や溢水が防止されて、洗浄水は便器本体１の内面を勢い良く旋回しながら伝い流下して汚物を洗い流すものである。また、リム部２は折曲板片状に突出されており、材料が削減されてコストダウンにも繋がるものである。
【００２１】
しかも、折曲板片状に突出されるリム部２の内側先端面２１が下方内側へと向かう傾斜面として形成されているので、旋回路部３内を流れた洗浄後の洗浄水は、同内側先端面２１に残留することなくリム部２の下面２２へと伝わって下方の便器本体１の内面へとスムーズに流下され、水滴となって垂れ落ちることが防止される。それ故、便器本体１の内面が汚れ難く、清掃もし易くて衛生的なものとなる。
【００２２】
また、この実施形態の水洗便器においては、リム部２とその下方で突設される棚状部４との間が内方へ開放された溝状の旋回路部３となるので、この旋回路部３には洗浄水が規制されて沿い易くなり、洗浄水はスピードアップされて旋回の勢いが強化され、また、旋回路部３の内部を清掃し易いものでもある。
【００２３】
更に、この場合において、棚状部４の上面４１が内側下方へと傾斜されており、同上面４１の内側端はＲ形状を介してその下方へと連続しているため、洗浄後の洗浄水は同棚状部４の傾斜した上面４１に溜まることなくその下方の便器本体１の内面へとスムーズに流下されて、便器本体１の内面の汚れが確実に防止されるものである。また、この場合、リム部２の先端部分と棚状部４の上面４１との間が大きく拡開するので、旋回路部３の内部をより清掃し易くなる。
【００２４】
また、本願発明においては、図３（ａ）又は（ｂ）に示すような実施形態であってもよい。すなわち、図３（ａ）に示す実施形態にあっては、リム部２の下面２２が下方内側へと向かう傾斜面として形成されており、この下面２２の傾斜は同リム部２の内側先端面２１の傾斜よりも緩いものである。この場合、洗浄水はリム部２の下面２２に留まることなくそこから下方の便器本体１の内面へとよりスムーズに流下され、水滴となって垂れ落ちることが確実に防止される。なお、それ以外は上記実施形態と同様に構成されており、上記実施形態におけると同様の作用効果が奏される。
【００２５】
また、図３（ｂ）に示す実施形態にあっては、リム部２の内側先端面２１と下面２２とがＲ形状に連続して形成され、同下面２２の外側端付近と棚状部４の上面４１の外側端付近とが共にＲ形状に形成されており、洗浄水は同リム部２の内側先端面２１から下面２２へと伝わって下方の便器本体１の内面へとよりスムーズに流下され、水滴となって垂れ落ちることがより確実に防止される。この場合、リム部２は厚肉となるのを避けて中空状に形成されており、材料削減によるコストダウンや軽量化が図られている。なお、それ以外は上記実施形態と同様に構成されており、上記実施形態におけると同様の作用効果が奏される。
【図面の簡単な説明】
【００２６】
【図１】本願発明の一実施形態である水洗便器を示す斜視図。
【図２】図１におけるＸ−Ｘ断面図。
【図３】（ａ）、（ｂ）は各々異なる別の実施形態である水洗便器を示す要部断面図。
【図４】従来例である水洗便器を示す要部斜視図。
【符号の説明】
【００２７】
１  便器本体
２  リム部
２１  内側先端面
３  旋回路部
４  棚状部
４１  上面
【図１】
2007308913.tif 000003
【図２】
2007308913.tif 000004
【図３】
2007308913.tif 000005
【図４】
2007308913.tif 000006